(57)【要約】【課題】好適にケーシング内部空間に発泡充填剤を充填することができる冷暖切換装置を提供する。【解決手段】室外ユニット２と複数の室内ユニット１Ａ〜１Ｄの間に配置される冷暖切換装置３であって、室外ユニット２と室内ユニット１を接続する液配管７は、冷暖切換装置３の外部に設けられ、ガス配管、ガス配管に接続される高圧弁１１および低圧弁１２から構成される配管アセンブリが内部に複数配置されるケーシング３０と、ケーシング３０内に充填された発泡剤３４と、を備えることを特徴とする。【選択図】図４
2018009737.tif 000002
【特許請求の範囲】
【請求項１】
室外ユニットと複数の室内ユニットの間に配置される冷暖切換装置であって、
前記室外ユニットと前記室内ユニットを接続する液配管は、前記冷暖切換装置の外部に設けられ、
ガス配管、前記ガス配管に接続される高圧弁および低圧弁から構成される配管アセンブリが内部に複数配置されるケーシングと、
前記ケーシング内に充填された発泡剤と、を備える
ことを特徴とする冷暖切換装置。
【請求項２】
前記高圧弁および前記低圧弁は、前記ケーシングの高さ方向において高さ位置を揃えて配置される
ことを特徴とする請求項１に記載の冷暖切換装置。
【請求項３】
前記配管アセンブリが互い違いに並べて配置される
ことを特徴とする請求項１または請求項２に記載の冷暖切換装置。
【請求項４】
室外ユニットと室内ユニットの間に配置される冷暖切換装置であって、
ガス配管、前記ガス配管に接続される高圧弁および低圧弁から構成される配管アセンブリが内部に複数配置されるケーシングと、
前記ケーシング内に充填された発泡剤と、
前記ケーシングの外部で接続されるストレーナと、を備える
ことを特徴とする冷暖切換装置。
【請求項５】
前記ガス配管は、複数の高圧ガス配管と複数の低圧ガス配管とで構成され、
前記高圧ガス配管に接続する高圧側ヘッダと、
前記低圧ガス配管に接続する低圧側ヘッダと、を備え、
前記ストレーナは、
前記高圧側ヘッダと前記ケーシングの外部で接続される高圧側ストレーナと、
前記低圧側ヘッダと前記ケーシングの外部で接続される低圧側ストレーナと、である
ことを特徴とする請求項４に記載の冷暖切換装置。
【請求項６】
ケーシングと、
室外機と結ばれる高圧ガス管が接続される高圧ガス管接続部と、
前記高圧ガス管接続部と接続されて高圧の冷媒を分配する高圧側ヘッダと、
室外機と結ばれる低圧ガス管が接続される低圧ガス管接続部と、
前記低圧ガス管接続部と接続されて低圧の冷媒を分配する低圧側ヘッダと、
複数の室内機と結ばれるガス管が接続される複数の室内機ガス管接続部と、
前記高圧側ヘッダと前記室内機ガス管接続部との間に介在され、一端が前記高圧側ヘッダに接続され、他端が前記室内機ガス管接続部に接続される複数の高圧弁と、
前記低圧側ヘッダと前記室内機ガス管接続部との間に介在され、一端が前記低圧側ヘッダに接続され、他端が前記室内機ガス管接続部に接続される複数の低圧弁と、
前記室内機ガス管接続部が、前記高圧弁の他端に接続されるとともに、前記低圧弁の他端にも接続されるように分岐する複数の分岐管と、を備え、
前記ケーシングには、前記高圧側ヘッダおよび前記低圧側ヘッダが収容されるとともに、前記高圧弁と前記低圧弁と前記分岐管とを有して構成される配管アセンブリが複数収容されており、
前記ケーシング内に発泡剤が充填され、
前記室外機と前記室内機を接続する液配管は、前記ケーシングの外部に設けられる
ことを特徴とする冷暖切換装置。
【発明の詳細な説明】
【技術分野】
【０００１】
本発明は、冷暖切換装置に関する。
【背景技術】
【０００２】
冷房運転と暖房運転が同時に運転可能な空調調和機において、室内機の冷房運転と暖房運転を切り換えるために用いられる冷暖切換装置が知られている。従来、冷暖切換装置は、室外機側に接続される３種類の冷媒配管（低圧ガス配管、高圧ガス配管及び液配管）と、室内機側に接続される２種類の冷媒配管（ガス配管及び液配管）と、高圧弁と、低圧弁と、から形成される配管アセンブリがケーシング内に単一数配設されており、その冷暖切換装置は１台の室内機に対して１台接続されていた。
【０００３】
また、冷暖切換装置のケーシング内部は配管の結露、配管振動や冷媒流動音を抑制することを目的として、液状の発泡材を内部に注入し発泡、硬化させることで、配管アセンブリの周囲を隙間なく発泡材で埋めている。
【０００４】
上記のような冷暖切換装置に対し、据付時の配管施工性やメンテナンスのし易さ、また省スペース・省コストの観点から、ケーシング内に上記室外機側に接続される３種類の冷媒配管と室内機側に接続される２種類の冷媒配管をヘッダ分岐することにより配管アセンブリを複数配設した集合型の冷暖切換装置がある。
【０００５】
このような集合型の冷暖切換装置においても、配管結露や配管振動、冷媒流動音を抑制するためにケーシング内部を発泡材で埋めることが必要となるが、集合型の冷暖切換装置は配管アセンブリを複数配設するためケーシング内部の空間が大きくなる。ケーシング内部の空間が大きいと、液状の発泡剤がケーシング内部全体に行き渡る前に硬化してしまい、空洞が生じるおそれがある。
【０００６】
このような課題を解決するため、例えば、特許文献１（特開２０１０−２８６１２９号公報）には、ケーシング内部の空間を仕切壁により配管アセンブリ毎に区画し、区画毎に発泡剤を充填する冷暖切換装置が開示されている（請求項１参照）。
【先行技術文献】
【特許文献】
【０００７】
【特許文献１】特開２０１０−２８６１２９号公報
【発明の概要】
【発明が解決しようとする課題】
【０００８】
しかしながら、特許文献１に記載の冷暖切換装置においては、区画毎に発泡剤を充填する必要があるため発泡剤の充填回数が増えてしまうという課題がある。また、発泡剤の発泡圧により仕切壁が変形することを防止するために仕切壁にリブを設ける必要があるためコストアップとなる課題がある。
【０００９】
そこで、本発明は、好適にケーシング内部空間に発泡剤を充填することができる冷暖切換装置を提供することを課題とする。
【課題を解決するための手段】
【００１０】
このような課題を解決するために、本発明に係る冷暖切換装置は、室外ユニットと複数の室内ユニットの間に配置される冷暖切換装置であって、前記室外ユニットと前記室内ユニットを接続する液配管は、前記冷暖切換装置の外部に設けられ、ガス配管、前記ガス配管に接続される高圧弁および低圧弁から構成される配管アセンブリが内部に複数配置されるケーシングと、前記ケーシング内に充填された発泡剤と、を備えることを特徴とする。
【００１１】
また、本発明に係る冷暖切換装置は、室外ユニットと室内ユニットの間に配置される冷暖切換装置であって、ガス配管、前記ガス配管に接続される高圧弁および低圧弁から構成される配管アセンブリが内部に複数配置されるケーシングと、前記ケーシング内に充填された発泡剤と、前記ケーシングの外部で接続されるストレーナと、を備えることを特徴とする。
【００１２】
また、本発明に係る冷暖切換装置は、ケーシングと、室外機と結ばれる高圧ガス管が接続される高圧ガス管接続部と、前記高圧ガス管接続部と接続されて高圧の冷媒を分配する高圧側ヘッダと、室外機と結ばれる低圧ガス管が接続される低圧ガス管接続部と、前記低圧ガス管接続部と接続されて低圧の冷媒を分配する低圧側ヘッダと、複数の室内機と結ばれるガス管が接続される複数の室内機ガス管接続部と、前記高圧側ヘッダと前記室内機ガス管接続部との間に介在され、一端が前記高圧側ヘッダに接続され、他端が前記室内機ガス管接続部に接続される複数の高圧弁と、前記低圧側ヘッダと前記室内機ガス管接続部との間に介在され、一端が前記低圧側ヘッダに接続され、他端が前記室内機ガス管接続部に接続される複数の低圧弁と、前記室内機ガス管接続部が、前記高圧弁の他端に接続されるとともに、前記低圧弁の他端にも接続されるように分岐する複数の分岐管と、を備え、前記ケーシングには、前記高圧側ヘッダおよび前記低圧側ヘッダが収容されるとともに、前記高圧弁と前記低圧弁と前記分岐管とを有して構成される配管アセンブリが複数収容されており、前記ケーシング内に発泡剤が充填され、前記室外機と前記室内機を接続する液配管は、前記ケーシングの外部に設けられることを特徴とする。
【発明の効果】
【００１３】
本発明によれば、好適にケーシング内部空間に発泡剤を充填することができる冷暖切換装置を提供することができる。
【図面の簡単な説明】
【００１４】
【図１】本実施形態に係る冷暖切換装置を備える空調システムの全体構成図である。
【図２】本実施形態に係る冷暖切換装置の冷媒回路図である。
【図３】本実施形態に係る冷暖切換装置の上面図である。
【図４】本実施形態に係る冷暖切換装置の右側面図である。
【発明を実施するための形態】
【００１５】
以下、本発明を実施するための形態（以下「実施形態」という）について、適宜図面を参照しながら詳細に説明する。なお、各図において、共通する部分には同一の符号を付し重複した説明を省略する。
【００１６】
≪空調システムＳ≫
本実施形態に係る冷暖切換装置３を用いる空調システムＳについて、図１および図２を用いて説明する。図１は、本実施形態に係る冷暖切換装置３を備える空調システムＳの全体構成図である。図２は、本実施形態に係る冷暖切換装置３の冷媒回路図である。
【００１７】
図１に示すように、空調システムＳは、複数の室内ユニット１（１Ａ〜１Ｄ）と、室外ユニット２と、冷媒の流路を切り換える冷暖切換装置３と、室外ユニット２と冷暖切換装置３とを接続する高圧ガス管４と、室外ユニット２と冷暖切換装置３とを接続する低圧ガス管５と、冷暖切換装置３と各室内ユニット１（１Ａ〜１Ｄ）とを接続するガス管６（６Ａ〜６Ｄ）と、各室内ユニット１（１Ａ〜１Ｄ）と室外ユニット２とを接続する液管７と、を備えている。
【００１８】
図２に示すように、冷暖切換装置３には、高圧ガス管４と各ガス管６（６Ａ〜６Ｄ）とを接続する冷媒流路の途中に膨張弁である高圧弁１１（１１Ａ〜１１Ｄ）がそれぞれ設けられており、低圧ガス管５と各ガス管６（６Ａ〜６Ｄ）とを接続する冷媒流路の途中に膨張弁である低圧弁１２（１２Ａ〜１２Ｄ）がそれぞれ設けられている。
【００１９】
このような構成により、空調システムＳは、冷暖切換装置３の各高圧弁１１（１１Ａ〜１１Ｄ）および各低圧弁１２（１２Ａ〜１２Ｄ）の開閉および弁開度を個別に制御することにより、各室内ユニット１（１Ａ〜１Ｄ）の冷房運転と暖房運転を独立して運転することができる冷暖同時運転が可能な空調システムである。即ち、冷暖切換装置３は、各室内ユニット１（１Ａ〜１Ｄ）の冷房運転と暖房運転を切り換える装置として機能するものである。
【００２０】
また、図１および図２に示すように、冷暖切換装置３には、高圧ガス管４、低圧ガス管５、ガス管６（６Ａ〜６Ｄ）が接続され、液管７は冷暖切換装置３を介さずに各室内ユニット１（１Ａ〜１Ｄ）と室外ユニット２とを直接接続するようになっている。このような構成とすることにより、冷暖切換装置３の内部に液管７を配設するスペースを削減することが可能となり、冷暖切換装置３のケーシング寸法の縮小が可能となる。
【００２１】
＜冷暖切換装置３＞
次に、冷暖切換装置３をについて、図３および図４を用いて更に説明する。図３は、本実施形態に係る冷暖切換装置３の上面図である。図４は、本実施形態に係る冷暖切換装置３の右側面図である。なお、図３および図４においては、手前側のケーシング３０の壁面や発泡充填材３３を透過して図示している。また、図３および図４において、垂直方向（鉛直方向）を上下とし（図４参照）、上下方向と直交する方向を前後とし（図３，４参照）、上下方向および前後方向と直交する方向を左右とする（図３参照）ものとする。
【００２２】
冷暖切換装置３のケーシング３０は、電装室３１と、断熱室３２と、に区画されている。電装室３１には、高圧弁１１および低圧弁１２を制御するための電装回路（図示せず）が配置されている。
【００２３】
冷暖切換装置３は、高圧弁１１Ａ〜１１Ｄと、低圧弁１２Ａ〜１２Ｄと、高圧ガス側主配管１３と、低圧ガス側主配管１４と、分岐管１５Ａ〜１５Ｄ（図４に分岐管１５Ａ，１５Ｂのみ例示する。）と、延長管１６Ａ，１６Ｃ（図４に延長管１６Ａのみ例示する。）と、接続ガス管１７Ａ〜１７Ｄと、室内側ガス管１８Ａ〜１８Ｄと、ストレーナ２１，２２，２３Ａ〜２３Ｄと、を備えている。
【００２４】
高圧ガス側主配管１３は、ヘッダ１３１と、ヘッダ分岐部１３２Ａ〜１３２Ｄと、配管部１３３と、接続部１３４と、を備えている。また、低圧ガス側主配管１４は、ヘッダ１４１と、ヘッダ分岐部１４２Ａ〜１４２Ｄ（図４にヘッダ分岐部１４２Ａ，１４２Ｂのみ例示する。）と、配管部１４３と、接続部１４４と、を備えている。
【００２５】
ここで、高圧弁１１Ａ、低圧弁１２Ａ、ヘッダ分岐部１３２Ａ、ヘッダ分岐部１４２Ａ、分岐管１５Ａ、延長管１６Ａ、接続ガス管１７Ａ、室内側ガス管１８Ａで第１の配管アセンブリが構成されている。また、高圧弁１１Ｂ、低圧弁１２Ｂ、ヘッダ分岐部１３２Ｂ、ヘッダ分岐部１４２Ｂ、分岐管１５Ｂ、接続ガス管１７Ｂ、室内側ガス管１８Ｂで第２の配管アセンブリが構成されている。また、高圧弁１１Ｃ、低圧弁１２Ｃ、ヘッダ分岐部１３２Ｃ、ヘッダ分岐部１４２Ｃ、分岐管１５Ｃ、延長管１６Ｃ、接続ガス管１７Ｃ、室内側ガス管１８Ｃで第３の配管アセンブリが構成されている。また、高圧弁１１Ｄ、低圧弁１２Ｄ、ヘッダ分岐部１３２Ｄ、ヘッダ分岐部１４２Ｄ、分岐管１５Ｄ、接続ガス管１７Ｄ、室内側ガス管１８Ｄで第４の配管アセンブリが構成されている。
【００２６】
なお、第１の配管アセンブリと第３の配管アセンブリとは同様の構成であり、図４に示す右側面図において重なって配置されている。また、第２の配管アセンブリと第４の配管アセンブリとは同様の構成であり、図４に示す右側面図において重なって配置されている。このため、図４においては、第１の配管アセンブリおよび第２の配管アセンブリの構成要素についてのみ符号を付している。
【００２７】
このように、室外ユニット２に接続される高圧ガス管４および低圧ガス管５は、高圧ガス側主配管１３のヘッダ１３１および低圧ガス側主配管１４のヘッダ１４１の分岐により、複数の配管アセンブリ（第１〜第４の配管アセンブリ）に分岐されている。
【００２８】
また、高圧弁１１Ａ〜１１Ｄの弁部、低圧弁１２Ａ〜１２Ｄの弁部、高圧ガス側主配管１３のヘッダ１３１およびヘッダ分岐部１３２Ａ〜１３２Ｄ、低圧ガス側主配管１４のヘッダ１４１およびヘッダ分岐部１４２Ａ〜１４２Ｄ、分岐管１５Ａ〜１５Ｄ、延長管１６Ａ，１６Ｃ、接続ガス管１７Ａ〜１７Ｄは、断熱室３２の内部に配置されている。また、高圧ガス側主配管１３の配管部１３３、低圧ガス側主配管１４の配管部１４３、室内側ガス管１８Ａ〜１８Ｄは、ケーシング３０の壁面を貫通して、断熱室３２の内部と外部とにわたって配置されている。また、断熱室３２の内部は、配管の結露、配管振動、冷媒流動音を抑制する目的として、発泡充填材３３が充填されている。なお、断熱室３２の上部は発泡充填材３３が充填されていない空洞部３４となっている。
【００２９】
高圧弁１１および低圧弁１２は、同じ構造の弁を用いており、電装室３１の電装回路（図示せず）を介して、開閉および弁開度が制御可能な電子膨張弁である。図４に示すように、高圧弁１１および低圧弁１２は、水平方向（後方向）から接続する一方のポートと、垂直方向（下方向）から接続する他方のポートと、を有している。また、高圧弁１１および低圧弁１２の下部（弁部）は発泡充填材（発泡材）３３で覆われており、上部（弁部の弁体を駆動する電磁コイル部）は発泡充填材３３から露出して空洞部３４に位置している。
【００３０】
また、図３に示すように、複数の配管アセンブリ（第１〜第４の配管アセンブリ）は、左右方向（垂直方向と直交する第１方向）に並べて配置されている。この際、高圧弁１１Ａ〜１１Ｄの位置が、前後方向（垂直方向および第１方向と直交する第２方向）に互い違いに並べて配置されている。即ち、左右方向の位置については高圧弁１１Ａ〜１１Ｄが等間隔に配置され、前後方向の位置については高圧弁１１Ａ，１１Ｃが高圧弁１１Ｂ，１１Ｄよりも前側に位置して、交互に配置されている。換言すれば、高圧弁１１Ａ〜１１Ｄは、上側から見て千鳥配置されている。また、低圧弁１２Ａ〜１２Ｄの位置も、前後方向に互い違いに並べて配置されている。即ち、左右方向の位置については低圧弁１２Ａ〜１２Ｄが等間隔に配置され、前後方向の位置については低圧弁１２Ａ，１２Ｃが低圧弁１２Ｂ，１２Ｄよりも前側に位置して、交互に配置されている。換言すれば、低圧弁１２Ａ〜１２Ｄは、上側から見て千鳥配置されている。
【００３１】
また、図４に示すように、高圧弁１１Ａ〜１１Ｄおよび低圧弁１２Ａ〜１２Ｄは、高さ（上端の高さ位置）が等しくなるように配置されている。
【００３２】
高圧ガス側主配管１３は、前記のように、一端側に高圧ガス管４と接続する接続金具で構成される接続部１３４を有し、他端側はヘッダ１３１を有し、それらが配管部１３３で接続されている。なお、ヘッダ１３１は、複数の配管アセンブリ（第１〜第４の配管アセンブリ）が配列されている方向（左右方向、第１方向）と同じ方向に伸びて設けられている。ヘッダ分岐部１３２Ａは、ヘッダ１４１から前方向に伸びており、ヘッダ１３１と高圧弁１１Ａの一方のポートとを接続する。同様に、ヘッダ分岐部１３２Ｂ〜１３２Ｄは、ヘッダ１４１から前方向に伸びており、ヘッダ１３１と高圧弁１１Ｂ〜１１Ｄの一方のポートとを接続する。
【００３３】
低圧ガス側主配管１４は、前記のように、一端側に低圧ガス管５と接続する接続金具で構成される接続部１４４を有し、他端側はヘッダ１４１を有し、それらが配管部１４３で接続されている。なお、ヘッダ１４１は、複数の配管アセンブリ（第１〜第４の配管アセンブリ）が配列されている方向（左右方向、第１方向）と同じ方向に伸びて設けられ、上側から見て低圧弁１２Ｂ，１２Ｄの下に配置されている。ヘッダ分岐部１４２Ａ（図４参照）は、ヘッダ１４１から前方向に伸びた後に上方向にも伸びており、ヘッダ１４１と低圧弁１２Ａの一方のポートとを接続する。また、ヘッダ分岐部１４２Ｂ（図４参照）は、ヘッダ１４１から上方向に伸びており、ヘッダ１４１と低圧弁１２Ｂの一方のポートとを接続する。同様に、ヘッダ分岐部１４２Ｃ（図示せず）は、ヘッダ１４１から前方向に伸びた後に上方向にも伸びており、ヘッダ１４１と低圧弁１２Ｃの一方のポートとを接続する。また、ヘッダ分岐部１４２Ｄ（図示せず）は、ヘッダ１４１から上方向に伸びており、ヘッダ１４１と低圧弁１２Ｄの一方のポートとを接続する。
【００３４】
高圧弁１１Ａの他方のポートには、上下方向に伸びる延長管１６Ａを介して分岐管１５Ａが接続され、接続ガス管１７Ａおよび室内側ガス管１８Ａが接続されている。また、高圧弁１１Ｂの他方のポートには、分岐管１５Ｂが接続され、接続ガス管１７Ｂおよび室内側ガス管１８Ｂが接続されている。同様に、高圧弁１１Ｃの他方のポートには、上下方向に伸びる延長管１６Ｃ（図示せず）を介して分岐管１５Ｃ（図示せず）が接続され、接続ガス管１７Ｃおよび室内側ガス管１８Ｃが接続されている。また、高圧弁１１Ｄの他方のポートには、分岐管１５Ｄ（図示せず）が接続され、接続ガス管１７Ｄおよび室内側ガス管１８Ｄが接続されている。
【００３５】
また、図４に示すように、高圧弁１１Ａ〜１１Ｄの高さ位置は等しいものの、延長管１６Ａ，１６Ｃが接続されていることにより、分岐管１５Ａ，１５Ｃは分岐管１５Ｂ，１５Ｄよりも低い位置に位置している。また、高圧弁１１Ａ，１１Ｃが高圧弁１１Ｂ，１１Ｄよりも前側に位置していることにより、分岐管１５Ａ，１５Ｃは分岐管１５Ｂ，１５Ｄよりも前側に位置している。
【００３６】
接続ガス管１７Ａは、中心線が角丸のクランク形状を有し、一端側が分岐管１５Ａを介して高圧弁１１Ａの他方のポートと接続され、他端側が低圧弁１２Ａの一方のポートと接続されている。同様に、接続ガス管１７Ｂ〜１７Ｄは、一端側が分岐管１５Ｂ〜１５Ｄを介して高圧弁１１Ｂ〜１１Ｄの他方のポートと接続され、他端側が低圧弁１２Ｂ〜１２Ｄの一方のポートと接続されている。
【００３７】
室内側ガス管１８Ａは、一端側にガス管６Ａと接続する接続金具で構成される接続部１８１Ａを有し、他端側は分岐管１５Ａと接続されている。同様に、室内側ガス管１８Ｂ〜１８Ｄは、一端側にガス管６Ｂ〜６Ｄと接続する接続金具で構成される接続部１８１Ｂ〜１８１Ｄを有し、他端側は分岐管１５Ｂ〜１５Ｄと接続されている。
【００３８】
なお、分岐管１５Ａ，１５Ｃは分岐管１５Ｂ，１５Ｄよりも低い位置に位置しており、高圧弁１１Ａ，１１Ｃが高圧弁１１Ｂ，１１Ｄよりも前側に位置していることにより、後側から見ても（図示せず）、上側から見ても（図３参照）、接続部１８１Ａ〜１８１Ｄが千鳥配置されている。
【００３９】
高圧ガス側主配管１３の配管部１３３には、ストレーナ２１が設けられている。また、低圧ガス側主配管１４の配管部１４３にも、ストレーナ２２が設けられている。また、室内側ガス管１８Ａ〜１８Ｄにも、ストレーナ２３Ａ〜２３Ｄがそれぞれ設けられている。なお、ストレーナ２１，２２，２３Ａ〜２３Ｄは、各配管４，５，６Ａ〜６Ｄから冷媒とともに流入したゴミ・金属等の異物を捕捉して、高圧弁１１Ａ〜１１Ｄおよび低圧弁１２Ａ〜１２Ｄで異物を噛み込むことを防止する。
【００４０】
図４に示すように、本実施形態に係る冷暖切換装置３のストレーナ２１，２２は断熱室３２の外部に配置されている。
【００４１】
なお、ストレーナ２３Ａ，２３Ｃは断熱室３２の内部に配置され、ストレーナ２３Ｂ，２３Ｄは断熱室３２の内部と外部にわたって配置されるものとして図示しているが、これに限定されるものではない。ストレーナ２３Ａ〜２３Ｄは、断熱室３２の内部に配置されていてもよく、断熱室３２の外部に配置されていてもよく、断熱室３２の内部と外部にわたって配置されていてもよい。
【００４２】
ここで、高圧ガス側主配管１３の配管部１３３および低圧ガス側主配管１４の配管部１４３の流路断面積は、配管アセンブリに分岐後の流路断面積（ヘッダ分岐部１３２Ａ〜１３２Ｄ、ヘッダ分岐部１４２Ａ〜１４２Ｄ）の合計に相当する分が求められる。したがって、高圧ガス側主配管１３の配管部１３３および低圧ガス側主配管１４の配管部１４３の配管径を配管アセンブリに分岐後の配管径よりも太くすることが求められ、配管部１３３，１４３の配管径が太くなるにしたがってストレーナ２１，２２の径も太くなる。このため、主配管１３，１４に設けられるストレーナ２１，２２をケーシング３０の内部に配設する場合、内部空間を大きくすることが求められる。
【００４３】
これに対し、本実施形態に係る冷暖切換装置３は、図３に示すように、主配管１３，１４に設けられるストレーナ２１，２２をケーシング３０の外部に配設する。これにより、ケーシング３０（特に発泡充填材３３が充填される断熱室３２）の寸法を小さくすることが可能となる。なお、ストレーナ２１，２２をケーシング３０の外部に配設することにより、ケーシング３０の外部の配管が長くなるが、冷暖切換装置３は通常天井裏等に設置されることが多いため、設置や施工に悪影響を与えることはない。また、ストレーナ２１，２２をケーシング３０の外部に配設することにより、ストレーナ２１，２２に詰まりが発生した場合にも、交換が容易となる利点もある。
【００４４】
また、配管アセンブリ（第１〜第４の配管アセンブリ）において、高圧弁１１Ａ〜１１Ｄ、低圧弁１２Ａ〜１２Ｄ、ストレーナ２３Ａ〜２３Ｄが左右方向の幅を占める構成部材である。
【００４５】
ここで、図３に示すように、高圧弁１１Ａ〜１１Ｄおよび低圧弁１２Ａ〜１２Ｄを交互に配置することにより、配管アセンブリを左右方向に近接して配置することができるので、ケーシング３０（特に発泡充填材３３が充填される断熱室３２）の左右方向の幅寸法を小さくすることが可能となる。また、高圧弁１１Ａ〜１１Ｄおよび低圧弁１２Ａ〜１２Ｄを交互に配置することにより、各弁同士の間隔を確保することができるので、各弁の電磁コイル部の交換時の作業性を向上できるという利点もある。
【００４６】
加えて、高圧弁１１Ａ〜１１Ｄおよび低圧弁１２Ａ〜１２Ｄの高さ（上端の高さ位置）が等しくなるように配置されていることにより、上側への張り出しを抑制し、ケーシング３０（特に発泡充填材３３が充填される断熱室３２）の高さ寸法を抑えることができる。
【００４７】
また、高圧弁１１Ａ〜１１Ｄの高さ位置は等しいものの、延長管１６Ａ，１６Ｃが接続されていることにより、分岐管１５Ａ，１５Ｃは分岐管１５Ｂ，１５Ｄよりも低い位置に位置しており、ストレーナ２３Ａ，２３Ｃはストレーナ２３Ｂ，２３Ｄよりも低い位置に位置している。即ち、ストレーナ２３Ａ〜２３Ｄの軸方向にみて（後側からみて）、ストレーナ２３Ａ〜２３Ｄは千鳥配置されている。配管よりも拡径するストレーナ２３Ａ〜２３Ｄをこのような配置とすることにより、配管アセンブリを左右方向に近接して配置することができるので、ケーシング３０（特に発泡充填材３３が充填される断熱室３２）の左右方向の幅寸法を小さくすることが可能となる。
【００４８】
また、室内側ガス管１８Ａ〜１８Ｄの接続部１８１Ａ〜１８１Ｄが、後側から見ても（図示せず）、上側から見ても（図３参照）、千鳥配置されることにより、各接続部同士の間隔を確保することができるので、接続部１８１Ａ〜１８１Ｄとガス管６（６Ａ〜６Ｄ）との接続作業性を向上できるという利点もある。
【００４９】
以上のように、ケーシング３０、特に発泡充填材３３が充填される断熱室３２の寸法を小さくすることにより、発泡充填材３３を充填する際、内部に行き渡らせることができるので、発泡充填材３３の充填不足による空洞が発生することを防止できる。
【００５０】
≪変形例≫
なお、本実施形態に係る冷暖切換装置３は、上記実施形態の構成に限定されるものではなく、発明の趣旨を逸脱しない範囲内で種々の変更が可能である。
【００５１】
空調システムＳは４基の室内ユニット１（１Ａ〜１Ｄ）を備え、冷暖切換装置３は、４系統の配管アセンブリ（第１〜第４の配管アセンブリ）を備えるものとして説明したが、これに限られるものではない。冷暖切換装置３は、配管アセンブリを２系統以上備えていればよい。
【符号の説明】
【００５２】
Ｓ                          空調システム
１，１Ａ〜１Ｄ              室内ユニット（室内機）
２                          室外ユニット（室外機）
３                          冷暖切換装置
４                          高圧ガス管
５                          低圧ガス管
６，６Ａ〜６Ｄ              ガス管
７                          液管
３０                        ケーシング
３１                        電装室
３２                        断熱室
３３                        発泡充填材（発泡剤）
３４                        空洞部
１１，１１Ａ〜１１Ｄ        高圧弁
１２，１２Ａ〜１２Ｄ        低圧弁
１３                        高圧ガス側主配管
１３１                      ヘッダ（高圧側ヘッダ）
１３２Ａ〜１３２Ｄ          ヘッダ分岐部
１３３                      配管部
１３４                      接続部（高圧ガス管接続部）
１４                        低圧ガス側主配管
１４１                      ヘッダ（低圧側ヘッダ）
１４２Ａ〜１４２Ｄ          ヘッダ分岐部
１４３                      配管部
１４４                      接続部（低圧ガス管接続部）
１５Ａ〜１５Ｄ              分岐管
１６Ａ，１６Ｃ              延長管
１７Ａ〜１７Ｄ              接続ガス管
１８Ａ〜１８Ｄ              室内側ガス管
１８１Ａ〜１８１Ｄ          接続部（室内機ガス管接続部）
２１                        ストレーナ（高圧側ストレーナ）
２２                        ストレーナ（低圧側ストレーナ）
２３Ａ〜２３Ｄ              ストレーナ
【図１】
2018009737.tif 000003
【図２】
2018009737.tif 000004
【図３】
2018009737.tif 000005
【図４】
2018009737.tif 000006